(57)【要約】【課題】プロセス制御システムの誤動作を未然に防止すること。【解決手段】本発明の一側面に係る機器監視装置は、機器の測定情報または制御情報を含むプロセス情報とプロセス情報をユーザごとに予め定められた表示態様で表示するための表示態様情報とを取得する取得部と、プロセス情報と表示態様情報とに基づいて、プロセス情報を上記表示態様で表示する画像を生成する画像生成部２６と、を備える。【選択図】図２
2018025922.tif 000002
【特許請求の範囲】
【請求項１】
機器の測定情報または制御情報を含むプロセス情報と前記プロセス情報をユーザごとに予め定められた表示態様で表示するための表示態様情報とを取得する取得部と、
前記プロセス情報と前記表示態様情報とに基づいて、前記プロセス情報を前記表示態様で表示する画像を生成する画像生成部と、
を備える、
機器監視装置。
【請求項２】
前記プロセス情報は、前記機器への制御情報と前記制御情報に対する第１許容範囲を示す第１許容範囲情報とを含み、
前記制御情報と前記第１許容範囲とを比較する第１比較部を更に備え、
前記画像生成部は、前記制御情報が前記第１許容範囲を外れた場合に、当該制御情報が当該第１許容範囲を外れたことを示す前記画像を生成する、
請求項１に記載の機器監視装置。
【請求項３】
前記プロセス情報は、前記機器からの測定情報と前記測定情報に対する第２許容範囲を示す第２許容範囲情報とを含み、
前記測定情報と前記第２許容範囲とを比較する第２比較部を更に備え、
前記画像生成部は、前記測定情報が前記第２許容範囲を外れた場合に、当該測定情報が当該第２許容範囲を外れたことを示す前記画像を生成する、
請求項１又は２に記載の機器監視装置。
【請求項４】
前記プロセス情報を第１ユーザに関連付けられた第１表示態様で表示するための第１表示態様情報と、前記プロセス情報を当該第１ユーザとは異なる第２ユーザに関連付けられた第２表示態様で表示するための第２表示態様情報と、を比較する第３比較部を更に備え、
前記画像生成部は、前記第３比較部の比較結果に応じた前記画像を生成する、
請求項１〜３のいずれか１項に記載の機器監視装置。
【請求項５】
前記ユーザを識別するユーザ識別情報と、前記ユーザ識別情報と関連付けられた前記表示態様情報と、を少なくとも含む設定ファイルを生成する設定ファイル生成部と、
前記設定ファイルごとに前記表示態様情報を変更する変更部と、
を更に備える、
請求項１〜３のいずれか１項に記載の機器監視装置。
【請求項６】
機器の測定情報または制御情報を含むプロセス情報と前記プロセス情報をユーザごとに予め定められた表示態様で表示するための表示態様情報とを取得するステップと、
前記プロセス情報と前記表示態様情報とに基づいて、前記プロセス情報を前記表示態様で表示する画像を生成するステップと、
を含む、
機器監視方法。
【請求項７】
コンピュータを、
機器の測定情報または制御情報を含むプロセス情報と前記プロセス情報をユーザごとに予め定められた表示態様で表示するための表示態様情報とを取得する取得部と、
前記プロセス情報と前記表示態様情報とに基づいて、前記プロセス情報を前記表示態様で表示する画像を生成する画像生成部と、
して機能させる、
機器監視プログラム。
【発明の詳細な説明】
【技術分野】
【０００１】
本発明は、機器監視装置、機器監視方法、及び機器監視プログラムに関する。
【背景技術】
【０００２】
従来から、プラント等に設置された複数のプロセス機器を適切に監視する技術が知られている（例えば、特許文献１参照）。
【０００３】
下記特許文献１には、複数のセンサにより測定された物理量のそれぞれから時系列データを作成し、作成した時系列データを表示装置に出力する監視装置が記載されている。
【先行技術文献】
【特許文献】
【０００４】
【特許文献１】特開２０１４−１６７７０６号公報
【発明の概要】
【発明が解決しようとする課題】
【０００５】
しかしながら、特許文献１に記載の監視装置においては、オペレータにとって不要なデータも表示装置に表示されるため、必要なデータの確認のし易さ（視認性）が低下していた。そのため、機器監視のオペレーションやプラント制御において見落としや見誤りが生じ易くなっていた。そして、機器監視のオペレーションやプラント制御において見落としや見誤りが生じ易くなっていたので、当該オペレーションやプラント制御において重大な作業ミスが発生するおそれがあり、プロセス制御システムの誤操作を生じてしまうという問題があった。
【０００６】
そこで、本発明は、プロセス制御システムの誤操作を未然に防止することを目的の一つとする。
【課題を解決するための手段】
【０００７】
上記課題を解決するために、本発明の一側面に係る機器監視装置は、機器の測定情報または制御情報を含むプロセス情報とプロセス情報をユーザごとに予め定められた表示態様で表示するための表示態様情報とを取得する取得部と、プロセス情報と表示態様情報とに基づいて、プロセス情報を表示態様で表示する画像を生成する画像生成部と、を備える。
【０００８】
上記機器監視装置において、プロセス情報は、機器への制御情報と制御情報に対する第１許容範囲を示す第１許容範囲情報とを含み、制御情報と第１許容範囲とを比較する第１比較部を更に備え、画像生成部は、制御情報が第１許容範囲を外れた場合に、当該制御情報が当該第１許容範囲を外れたことを示す画像を生成してもよい。
【０００９】
上記機器監視装置において、プロセス情報は、機器からの測定情報と測定情報に対する第２許容範囲を示す第２許容範囲情報とを含み、測定情報と第２許容範囲とを比較する第２比較部を更に備え、画像生成部は、測定情報が第２許容範囲を外れた場合に、当該測定情報が当該第２許容範囲を外れたことを示す画像を生成してもよい。
【００１０】
上記機器監視装置において、プロセス情報を第１ユーザに関連付けられた第１表示態様で表示するための第１表示態様情報と、プロセス情報を当該第１ユーザとは異なる第２ユーザに関連付けられた第２表示態様で表示するための第２表示態様情報と、を比較する第３比較部を更に備え、画像生成部は、第３比較部の比較結果に応じた画像を生成してもよい。
【００１１】
上記機器監視装置において、ユーザを識別するユーザ識別情報と、ユーザ識別情報と関連付けられた表示態様情報と、を少なくとも含む設定ファイルを生成する設定ファイル生成部と、設定ファイルごとに表示態様情報を変更する変更部と、を更に備えてもよい。
【００１２】
上記課題を解決するために、本発明の一側面に係る機器監視方法は、機器の測定情報または制御情報を含むプロセス情報とプロセス情報をユーザごとに予め定められた表示態様で表示するための表示態様情報とを取得するステップと、プロセス情報と表示態様情報とに基づいて、プロセス情報を表示態様で表示する画像を生成するステップと、を含む。
【００１３】
上記課題を解決するために、本発明の一側面に係る機器監視プログラムは、コンピュータを、機器の測定情報または制御情報を含むプロセス情報とプロセス情報をユーザごとに予め定められた表示態様で表示するための表示態様情報とを取得する取得部と、プロセス情報と表示態様情報とに基づいて、プロセス情報を表示態様で表示する画像を生成する画像生成部と、して機能させる。
【００１４】
なお、本発明において、「部」、「装置」、「システム」とは、単に物理的手段を意味するものではなく、その「部」、「装置」、「システム」が有する機能をソフトウェアによって実現する場合も含む。また、１つの「部」、「装置」、「システム」が有する機能が２つ以上の物理的手段や装置により実現されても、２つ以上の「部」、「装置」、「システム」の機能が１つの物理的手段や装置により実現されても良い。
【発明の効果】
【００１５】
本発明によれば、プロセス制御システムの誤操作を未然に防止することができる。
【図面の簡単な説明】
【００１６】
【図１】本発明の実施形態に係るプロセス制御システムの構成を示す図である。
【図２】本発明の実施形態に係る機器監視装置の構成を示すブロック図である。
【図３】本発明の実施形態に係る機器監視装置による画像生成処理の一例を示すフローチャートである。
【図４】本発明の実施形態に係る定義ファイルの一例を示す図である。
【図５】本発明の実施形態に係る表示画像の一例を示す図である。
【図６】本発明の実施形態に係る定義ファイルの一例を示す図である。
【図７】本発明の実施形態に係る表示画像の一例を示す図である。
【図８】本発明の実施形態に係る定義ファイルの一例を示す図である。
【図９】本発明の実施形態に係る表示画像の一例を示す図である。
【図１０】本発明の実施形態に係る表示画像の一例を示す図である。
【図１１】本発明の実施形態に係る機器監視装置による画像生成処理の他の一例を示すフローチャートである。
【図１２】本発明の実施形態に係る機器監視装置による定義ファイルの異常を知らせる警告表示を含む表示画像の一例を示す図である。
【発明を実施するための形態】
【００１７】
以下、図面を参照して本発明の実施の形態を説明する。図面は模式的なものであり、必ずしも実際の寸法や比率等とは一致しない。図面相互間においても互いの寸法の関係や比率が異なる部分が含まれていることがある。理解を容易にするため、各図面において同一の構成要素に対しては可能な限り同一の符号を付し、重複する説明は省略する。
【００１８】
（構成）
図１は、本発明の実施形態に係るプロセス制御システムの構成を示す図である。図１に示すように、プロセス制御システム１は、例示的に、複数のプロセス機器３（３ａ，３ｂ，３ｃ，３ｄ）と、複数の制御装置５（５ａ，５ｂ）と、制御装置５とシステムバス７を介して接続された機器監視装置９と、を備えて構成されている。機器監視装置９は、さらにネットワークを介して、汎用コンピュータ装置であるユーザ端末８Ａ、８Ｂに通信可能に接続されている。
【００１９】
ここで、複数の異なるユーザのそれぞれは、プロセス制御システム１において、ユーザ端末８Ａ，８Ｂのそれぞれを介して、共通する複数のプロセス機器３を監視、制御する。複数の異なるユーザにおいては、プロセス制御システム１に対する習熟度が異なる場合がある。プロセス制御システム１に対する習熟度が高いユーザ向けに予め設定されたプロセス機器３の監視画面、例えば、表示項目が多い画面や操作可能範囲が広い画面等を用いて、プロセス制御システム１に対する習熟度が低いユーザが機器監視のオペレーションやプラント制御を行う場合、機器監視のオペレーションやプラント制御において見落としや見誤りが生じ易くなる。よって、当該オペレーションやプラント制御において重大な作業ミスが発生するおそれがあるので、プロセス制御システムの誤操作を生じてしまうという問題が発生する。したがって、プロセス制御システム１においては、プロセス機器３のパラメータをユーザごとに予め定められた表示態様で表示することにより、プロセス制御システム１の誤操作を未然に防止することができる。以下、誤操作を未然に防止することが可能なプロセス制御システム１について具体的に説明する。
【００２０】
プロセス機器３（機器）は、プラントに設置されるさまざまなフィールド機器である。プロセス機器３ａ，３ｃは、温度計、圧力計、流速計、流量計等を含む各種センサ等の測定装置であり、各種センサからの測定信号Ｓｄを制御装置５に提供するようになっている。プロセス機器３ｂ，３ｄは、各種バルブ又は各種モータ等の駆動装置であり、制御装置５から提供された制御信号Ｓｃに基づき動作するようになっている。
【００２１】
制御装置５は、プロセス機器３と機器監視装置９とのインターフェースとして機能する装置である。例えば、制御装置５は、プロセス機器３から提供された測定信号Ｓｄを機器監視装置９に読み取り可能な測定情報Ｓｄ’に変換して、システムバス７を介して、機器監視装置９に送信するようになっている。また例えば、制御装置５は、システムバス７を介して、機器監視装置９から受信した制御情報Ｓｃ’を、プロセス機器３が動作するために適した制御信号Ｓｃに変換して出力するようになっている。
【００２２】
機器監視装置９は、プロセス機器３から受信した測定情報Ｓｄ’及びプロセス機器３を動作させるための制御情報Ｓｃ’をパラメータとして含む画像を生成し、生成した画像を表示処理する装置である。
【００２３】
「パラメータ」（プロセス情報）は、例示的に、プロセス機器３からの測定情報Ｓｄ’と、プロセス機器３への制御情報Ｓｃ’とを含む。「測定情報」は、本実施形態では、プロセス機器３からの出力値、すなわち、各種センサからの測定信号Ｓｄである。「制御情報」は、本実施形態ではプロセス機器３への入力値、すなわち、各種バルブの開閉や開度を制御したり、各種モータを駆動させたりする制御信号Ｓｃである。を含む。なお、パラメータは、測定情報に対する上限値及び下限値の少なくとも一方に基づく許容範囲を示す許容範囲情報を含んでもよい。また、パラメータは、制御情報に対する上限値及び下限値の少なくとも一方に基づく許容範囲を示す許容範囲情報を含んでもよい。
【００２４】
なお、「パラメータ」は、プロセス機器３からの測定情報の予測値を含んでもよいし、プロセス機器３のフィードバック強さを示す情報を含んでもよい。プロセス機器３のフィードバック強さは、例えば、プロセス機器３からの測定情報が測定情報に対する設定値と異なる値となった場合に、プロセス機器３からの測定情報が当該設定値になるようにプロセス機器３を制御する力の強さを含む。また、プロセス機器３に設定されるパラメータとして、流量、流速、重量、面積、容量、速度、力、熱、角度等に関するパラメータが採用されてもよい。
【００２５】
図２は、本発明の実施形態に係る機器監視装置の構成を示すブロック図である。図２に示すように、機器監視装置９は、例示的に、入力部１０と、出力部１２と、情報処理部２０と、記録部３０と、を備えて構成されている。なお、情報処理部２０は、例えば、メモリやハードディスク等の記憶領域に格納されているソフトウェアプログラムをプロセッサが実行することにより実現することができる。
【００２６】
入力部１０は、プロセス制御システムのオペレータ等のユーザの操作情報等を入力する手段である。例えば、入力部１０は、プロセス機器３に設定値を入力する。入力部１０は、入力した設定値を変更するための指示を入力可能に構成されている。入力部１０は、後述する定義ファイル３５を変更するための指示を入力可能に構成されてもよい。入力部１０として、例えば、ユーザが操作するトラックボール、キーボードやマウス等を採用することができる。
【００２７】
出力部１２は、画像や音声などを出力する手段である。具体的には、プロセス機器３のパラメータの画像表示や機器監視装置９の操作画面の表示を実行する。出力部１２としては、液晶ディスプレイ、有機ＥＬディスプレイ等の画像表示装置を採用することができる。例えば、出力部１２が画像表示装置であれば、プロセス機器３のパラメータ等をディスプレイ上に表示する。
【００２８】
なお、タッチパネル付きディスプレイは、本発明の入力部１０および出力部１２として好適である。タッチパネル付きディスプレイにおいては、ディスプレイ部分が出力部１２に相当し、ディスプレイ部分に重ねて設けられるタッチパネル部分が入力部１０に相当する。
【００２９】
情報処理部２０は、機能的に、情報取得部２１と、設定ファイル生成部２２と、パラメータ比較部２３と、定義ファイル比較部２４と、定義ファイル変更部２５と、画像生成部２６と、を備えて構成されている。
【００３０】
情報取得部２１（取得部）は、図１に示すプロセス機器３のパラメータ３７と、プロセス機器３のパラメータ３７をユーザごとに予め定められた表示態様で表示するための定義ファイル３５（表示態様情報）と、を取得する。また、情報取得部２１は、ユーザを識別するユーザ識別情報３３を更に取得する。ユーザ識別情報３３は、ユーザの特性、例えば、プロセス制御システムに対する習熟度や操作能力等の情報を更に含んでもよい。
【００３１】
設定ファイル生成部２２は、例えば、ユーザを識別するユーザ識別情報３３と、ユーザ識別情報３３と関連付けられた定義ファイル３５と、ユーザ識別情報３３と関連付けられたパラメータ３７と、を含む設定ファイル３１を生成する。
【００３２】
パラメータ比較部２３（第１比較部）は、プロセス機器３への制御情報と当該制御情報に対する第１許容範囲を示す第１許容範囲情報とを比較する。パラメータ比較部２３（第２比較部）は、プロセス機器３からの測定情報と当該測定情報に対する第２許容範囲を示す第２許容範囲情報とを比較する。
【００３３】
定義ファイル比較部２４（第３比較部）は、パラメータ３７を第１ユーザに関連付けられた第１表示態様で表示するための第１定義ファイル（第１表示態様情報）と、パラメータ３７を当該第１ユーザとは異なる第２ユーザに関連付けられた第２表示態様で表示するための第２定義ファイル（第２表示態様情報）と、を比較する。
【００３４】
定義ファイル変更部２５（変更部）は、設定ファイル３１ごとに定義ファイル３５を変更する。定義ファイル変更部２５は、例えば、入力部１０を介してユーザから受信する定義ファイル３５を変更するための指示に基づいて、定義ファイル３５を変更する。
【００３５】
画像生成部２６は、パラメータ３７と定義ファイル３５とに基づいて、パラメータ３７をユーザごとに予め定められた表示態様で表示する画像を生成する。
【００３６】
記録部３０は、プロセス機器３に関する各種情報を関連付けて記録し、保持する。例えば、記録部３０は、情報取得部２１が取得したユーザ識別情報３３Ａと、定義ファイル３５Ａと、パラメータ３７Ａと、を関連付けて、ユーザ端末８Ａのユーザ用の設定ファイル３１Ａとして記録し、情報取得部２１が取得したユーザ識別情報３３Ｂと、定義ファイル３５Ｂと、パラメータ３７Ｂと、を関連付けて、ユーザ端末８Ｂのユーザ用の設定ファイル３１Ｂとして記録する。このように、記録部３０は、ユーザごとに、設定ファイル３１を管理する。
【００３７】
なお、パラメータ３７は、例えば、プロセス機器３の識別情報を含んでいる。記録部３０は、プロセス機器３への入力値（制御情報）、又は、プロセス機器３からの出力値（測定情報）のうち少なくとも一つと、当該プロセス機器３の識別情報とを、関連付けて記録してもよい。
【００３８】
（画像生成処理）
図３〜図１０を用いて、パラメータ画像生成処理を説明する。図３は、本発明の実施形態に係る機器監視装置によるパラメータ画像生成処理の一例を示すフローチャートである。図４は、プロセス制御システムに対する習熟度が高いユーザを示すエキスパート用の定義ファイルの一例を示す図である。図６は、プロセス制御システムに対する習熟度が低いユーザを示す非エンジニア用の定義ファイルの一例を示す図である。図８は、プロセス制御システムに対する習熟度が中程度のユーザを示すエンジニア用の定義ファイルの一例を示す図である。
【００３９】
パラメータ画像生成処理フローにおいて、前提として、機器監視装置９を操作する、例えばユーザ端末８Ａのユーザは、ネットワークの所定のサイトより、本発明の実施形態に係るパラメータ画像生成処理アプリケーションソフトウェアをダウンロードし、機器監視装置９に実行可能なように保存しておく。そして、ユーザ端末８Ａのユーザによりパラメータ画像生成処理アプリケーションソフトウェアの実行が指示されると、パラメータ画像生成処理アプリケーションソフトウェアに基づくプログラム動作が開始する。
【００４０】
（図３のステップＳ１）
図２に示す情報取得部２１は、図１に示すプロセス機器３のパラメータ３７と、プロセス機器３のパラメータ３７をユーザごとに予め定められた表示態様で表示するための定義ファイル３５（図４、図６、又は図８参照）と、を取得する。
【００４１】
図４に示すように、例えば、エキスパート用の定義ファイル３５は、パラメータの名称を示す「パラメータ名」、パラメータの表記を示す「表示名」、パラメータの値の変更の有無を示す「値の変更」、表示される値の小数点以下の桁数を示す「小数点桁数」、パラメータの上限値を表示するか否かを示す「上限表示」、パラメータの下限値を表示するか否かを示す「下限表示」、及び、プロセス制御システムに何らかの異常が発生した場合において警告を発する際に用いる色を示す「警告色」等の情報を含む。
【００４２】
「値の変更」において、「Ｔｒｕｅ」の場合は値の変更が可能であることを示しており、「Ｆａｌｓｅ」の場合は値の変更が不可能であることを示している。「上限表示」において、「Ｔｒｕｅ」の場合は上限値の表示を行うことを示しており、「Ｆａｌｓｅ」の場合は上限値の表示を行わないことを示している。「下限表示」において、「Ｔｒｕｅ」の場合は下限値の表示を行うことを示しており、「Ｆａｌｓｅ」の場合は下限値の表示を行わないことを示している。
【００４３】
（図３のステップＳ３）
図２に示す画像生成部２６は、パラメータ３７と定義ファイル３５とに基づいて、パラメータ３７を、非エンジニア、エキスパート、又はエンジニア等を含むユーザごとに予め定められた表示態様で表示する画像を生成する。
【００４４】
図５に、エキスパート用のパラメータ表形式画像の一例を示す。画像生成部２６は、温度計１、温度計２、及び、圧力計１の各パラメータ１、３、４、及び６と、図４に示すエキスパート用の定義ファイルと、に基づいて、図５に示すように、エキスパート用表示画像を生成する。
【００４５】
エキスパート用表示画像のパラメータ１の欄においては、温度計１、温度計２、及び、圧力計１のそれぞれへの小数点以下２桁の測定情報と、測定情報に対する上限値及び下限値と、を含む。ここで、測定情報に対する上限値及び下限値に基づいて許容範囲を示す許容範囲情報が規定される。例えば、温度計１における許容範囲情報は、上限値（７０．００）及び下限値（２３．００）に基づいて規定される許容範囲（２３．００〜７０．００）を示す情報である。
【００４６】
ここで、図２に示すパラメータ比較部２３は、測定情報と、測定情報に対する許容範囲と、を比較し、画像生成部２６は、測定情報が許容範囲を外れた場合に、当該測定情報が許容範囲を外れたことを示す画像を生成する。具体的に、パラメータ１においては、温度計２の測定情報４３．２１が、許容範囲（下限値２２．５〜上限値３３．２）を外れるので、画像生成部２６は、図４に示す定義ファイルの警告色「Ｒｅｄ」に基づいて、警告表示として測定情報４３．２１の数字が配置される欄が例えば赤色となるように図５のエキスパート用表示画像を生成する。
【００４７】
エキスパート用表示画像のパラメータ３の欄においては、温度計１、温度計２、及び、圧力計１のそれぞれの小数点以下１桁の測定情報と、測定情報に関連付けられた上限値と、を含む。上限値に基づいて許容範囲を示す許容範囲情報が規定される。パラメータ３においては、温度計２の測定情報６３．２が、許容範囲（〜上限値３４．７）を外れるので、画像生成部２６は、図４に示す定義ファイルの警告色「Ｂｌｕｅ」に基づいて、警告表示として測定情報６３．２の数字が配置される欄が例えば青色となるように図５のエキスパート用表示画像を生成する。
【００４８】
エキスパート用表示画像のパラメータ６の欄においては、温度計１、温度計２、及び、圧力計１のそれぞれの小数点以下１桁の測定情報と、測定情報に関連付けられた下限値と、を含む。下限値に基づいて許容範囲を示す許容範囲情報が規定される。パラメータ６においては、温度計１の測定情報６９．３が、許容範囲（下限値７２．０〜）を外れ、且つ、温度計２の測定情報２３．２が、許容範囲（下限値３４．７〜）を外れるので、画像生成部２６は、図４の定義ファイルの警告色「Ｒｅｄ」に基づいて、警告表示として温度計１の測定情報６９．３及び温度計２の測定情報２３．２の数字が配置される欄が例えば赤色となるように図５のエキスパート用表示画像を生成する。
【００４９】
エキスパート用表示画像のパラメータ４の欄においては、温度計１、温度計２、及び、圧力計１のそれぞれの測定情報を含む。ここで、図４に示す定義ファイルにおいて、パラメータ４の「値の変更」は「Ｆａｌｓｅ」と設定されているので、値の変更は不可能である。例えば、値の変更が不可能であることを一見して把握容易にするために、エキスパート用表示画像のパラメータ５の欄は、グレーアウトされる。
【００５０】
なお、図５の例においては、プロセス機器３のパラメータとして、プロセス機器３の測定情報を採用した場合を例に挙げて説明したが、プロセス機器３のパラメータとして、プロセス機器３の制御情報を採用することもできる。この場合、パラメータ比較部２３は、制御情報と、制御情報に対する許容範囲と、を比較し、画像生成部２６は、制御情報が許容範囲を外れた場合に、当該制御情報が許容範囲を外れたことを示すエキスパート用表示画像を生成するように構成されてもよい。
【００５１】
図７に、非エキスパート用のパラメータ表形式画像の一例を示す。画像生成部２６は、温度計１、温度計２、及び、圧力計１の各パラメータ１、３、及び４と、図６に示す非エンジニア用の定義ファイルと、に基づいて、図７に示すように、非エンジニア用表示画像を生成する。
【００５２】
非エンジニア用表示画像のパラメータ１、３、及び４の欄においては、温度計１、温度計２、及び、圧力計１のそれぞれについて、小数点以下１桁の測定情報を含む。ここで、図６に示す定義ファイルにおいて、各パラメータ１、３、及び４の「上限表示」及び「下限表示」は「Ｆａｌｓｅ」と設定されているので、非エンジニア用表示画像において測定情報に対する上限値及び下限値は含まれない。なお、図６に示す定義ファイルにおいて、パラメータ１及び４の「値の変更」は「Ｆａｌｓｅ」と設定されているので、値の変更は不可能である。図５と同様に、値の変更が不可能であることを一見して把握容易にするために、図７の非エンジニア用表示画像のパラメータ１及び４の欄は、グレーアウトされる。
【００５３】
図９に、エンジニア用のパラメータ表形式画像の一例を示す。画像生成部２６は、温度計１、温度計２、及び、圧力計１の各パラメータ１、３、及び４と、図８に示すエンジニア用の定義ファイルと、に基づいて、図９に示すように、エンジニア用表示画像を生成する。
【００５４】
エンジニア用表示画像のパラメータ１の欄においては、温度計１、温度計２、及び、圧力計１のそれぞれの小数点以下２桁の測定情報と、測定情報に関連付けられた上限値及び下限値と、を含む。ここで、測定情報に対する上限値及び下限値に基づいて許容範囲を示す許容範囲情報が規定される。例えば、温度計２における許容範囲情報は、上限値（３３．２）及び下限値（２２．５）に基づいて規定される許容範囲（２２．５〜３３．２）を示す情報である。
【００５５】
ここで、測定情報と、測定情報に対する許容範囲と、を比較し、画像生成部２６は、測定情報が許容範囲を外れた場合に、当該測定情報が許容範囲を外れたことを示す画像を生成する。具体的に、パラメータ１においては、温度計２の測定情報４３．２１が、許容範囲（下限値２２．５〜上限値３３．２）を外れるので、画像生成部２６は、図８に示す定義ファイルの警告色「Ｒｅｄ」に基づいて、警告表示として測定情報４３．２１の数字が配置される欄が例えば赤色になるように図９のエンジニア用表示画像を生成する。
【００５６】
エンジニア用表示画像のパラメータ３の欄においては、温度計１、温度計２、及び、圧力計１のそれぞれの小数点以下１桁の測定情報と、測定情報に関連付けられた上限値と、を含む。上限値に基づいて許容範囲を示す許容範囲情報が規定される。パラメータ３においては、温度計２の測定情報６３．２が、許容範囲（〜上限値３４．７）を外れるので、画像生成部２６は、図８に示す定義ファイルの警告色「Ｂｌｕｅ」に基づいて、警告表示として測定情報６３．２の数字が配置される欄が例えば青色になるように図９のエンジニア用表示画像を生成する。
【００５７】
エンジニア用表示画像のパラメータ４の欄においては、温度計１、温度計２、及び、圧力計１のそれぞれの測定情報を含む。ここで、図８に示す定義ファイルにおいて、パラメータ４の「値の変更」は「Ｆａｌｓｅ」と設定されているので、値の変更は不可能である。例えば、値の変更が不可能であることを一見して把握容易にするために、図９のエンジニア用表示画像のパラメータ４の欄は、グレーアウトされる。
【００５８】
図５、図７、及び図９を比較するとわかるように、図５に示すエキスパート用の表示画像は、表示項目が最も多く、且つ、操作可能範囲が最も広いので、より高度なユーザ向けの画像である。そして、図９に示すエンジニア用の表示画像、図７に示す非エンジニア用の表示画像の順で、表示項目が少なく、且つ、操作可能範囲は狭くなる。このように、プロセス制御システムに対する習熟度がより高いユーザには、より高度な表示を行い、プロセス制御システムに対する習熟度がより低いユーザには、より簡易な表示を行う。
【００５９】
なお、図５、図７、及び図９の例では、画像生成部２６は、各表示画像として表形式の画像を生成するが、これに限られない。
【００６０】
図１０は、エンジニア用のパラメータのグラフ形式画像の一例を示す図である。図１０に示すように、画像生成部２６は、図９に示す温度計１の各パラメータ１、３、及び４をグラフ形式で表示する画像を生成するように構成されてもよい。図１０に示すように、当該グラフ形式で表示される画像は、警告表示として、パラメータ１の測定情報において許容範囲を外れる部分、つまり、上限値７０．００を超える部分（破線部分Ｌ１）については、赤色で示され、パラメータ３の測定情報において許容範囲を外れる部分、つまり、上限値７２．０を超える部分（破線部分Ｌ２）については、青色で示されてもよい。
【００６１】
ここで、ユーザが図５、図７、又は図９に示す表示画像を確認した後に、画像の表示項目の変更を希望する場合は、ユーザは、入力部１０を介して定義ファイル３５を変更するための指示を入力する。そして、定義ファイル変更部２５は、入力部１０を介してユーザから受信する、定義ファイル３５を変更するための指示に基づいて、定義ファイル３５を変更する。画像生成部２６は、パラメータ３７と定義ファイル変更部２５により変更された定義ファイルとに基づいて、パラメータ３７をユーザごとに予め定められた表示態様で表示する画像を生成するように構成されてもよい。
【００６２】
図１１は、定義ファイルに異常がある場合の警告表示を含む画像の生成処理の一例を示したフローチャートである。
【００６３】
（ステップＳ１１）
図２に示す情報取得部２１は、図１に示すプロセス機器３のパラメータ３７と、プロセス機器３のパラメータ３７をユーザごとに予め定められた表示態様で表示するための定義ファイル３５と、を取得する。
【００６４】
（ステップＳ１３）
定義ファイル比較部２４（第３比較部）は、パラメータ３７を非エンジニア（第１ユーザ）に関連付けられた第１表示態様で表示するための非エンジニア用定義ファイル（第１表示態様情報）と、パラメータ３７を当該非エンジニアとは異なるエキスパートに関連付けられた第２表示態様で表示するためのエキスパート用定義ファイル（第２表示態様情報）と、を比較する。
【００６５】
定義ファイル比較部２４は、例えば、非エンジニア用定義ファイルとエキスパート用定義ファイルとの間において共通する種類の項目同士を比較する。具体的に、定義ファイル比較部２４は、非エンジニア用定義ファイルの「小数点桁数」（図６参照）と、エキスパート用定義ファイルの「小数点桁数」（図４参照）と、を比較する。そして、定義ファイル比較部２４は、仮に、非エンジニア用定義ファイルの「小数点桁数」がエキスパート用定義ファイルの「小数点桁数」よりも大きいと判断した場合は、非エンジニア用定義ファイルには異常があると判定する。
【００６６】
（ステップＳ１５）
図２に示す画像生成部２６は、定義ファイル比較部２４の比較結果に応じた警告表示を含む画像を生成する。
【００６７】
図１２は、定義ファイルの異常を知らせる警告表示画像の一例を示す図である。図１２に示すように、定義ファイル比較部２４が、非エンジニア用定義ファイルには異常があると判定する場合は、画像生成部２６は、例えば、テキスト「定義ファイルに異常があります。」という警告表示を、図７に示す非エンジニア用のパラメータ表形式画像に含む警告表示画像を生成する。このような警告表示画像を生成することにより、例えば、プロセス制御システムに何らかの異常が発生し、非エンジニア用定義ファイルとエキスパート用定義ファイルとの高度さが逆転しているような場合には、ユーザに対して適切に警告することができる。
【００６８】
（効果）
本発明の実施形態によれば、プロセス機器３のパラメータ３７をユーザごとに予め定められた表示態様で表示することができるので、プロセス制御システムの誤操作を未然に防止することができる。
【００６９】
（他の実施形態）
本発明において、上述した各実施形態は、あくまでも例示であり、明示しない種々の変形や技術の適用を排除する意図はない。即ち、本発明は、その趣旨を逸脱しない範囲で種々変形（各実施形態を組み合わせる等）して実施することができる。
【００７０】
図５及び図９の例においては、警告表示として、測定情報に対応する数字が配置される欄の色を定義ファイルに定義されている所定の色を用いて埋めるように強調表示しているが、これに限られず、画像生成部は、警告対象の測定情報に対応する数字が太字又は細字になるように表示する画像を生成してもよいし、当該数字が破線によって表示されるような画像を生成してもよいし、警告対象の測定情報に対応する数字自体を所定の色で表示する画像を生成してもよい。
【符号の説明】
【００７１】
１    プロセス制御システム
３    プロセス機器
５    制御装置
９    機器監視装置
１０  入力部
１２  出力部
２０  情報処理部
２１  情報取得部
２２  設定ファイル生成部
２３  パラメータ比較部
２４  定義ファイル比較部
２５  定義ファイル変更部
２６  画像生成部
３０  記憶部
【図１】
2018025922.tif 000003
【図２】
2018025922.tif 000004
【図３】
2018025922.tif 000005
【図４】
2018025922.tif 000006
【図５】
2018025922.tif 000007
【図６】
2018025922.tif 000008
【図７】
2018025922.tif 000009
【図８】
2018025922.tif 000010
【図９】
2018025922.tif 000011
【図１０】
2018025922.tif 000012
【図１１】
2018025922.tif 000013
【図１２】
2018025922.tif 000014